(57)【要約】【課題】操作性の向上を図りつつデザイン性の自由度を確保した撮像装置を提供する。【解決手段】レンズカバー３８は、筐体１２の前面１４上を延在する第１の方向において撮像レンズ２６Ａを覆う閉塞位置Ｐ０と撮像レンズ２６Ａを露出させる第１の開放位置Ｐ１との間で移動可能で、かつ、前面１４上で第１の方向と異なる方向に延在する第２の方向において閉塞位置Ｐ０と撮像レンズ２６Ａを露出させる第２の開放位置Ｐ２との間で移動可能に設けられている。可動板４０は、レンズカバー３８の閉塞位置Ｐ０と第１の開放位置Ｐ１との間の移動時にレンズカバー３８と一体に移動し、かつ、レンズカバー３８の閉塞位置Ｐ０と第２の開放位置Ｐ２との間の移動時に閉塞位置Ｐ０に留まるように設けられている。光学部材４２は、可動板４０が閉塞位置Ｐ０に位置した状態で撮像レンズ２６Ａの前方に位置する可動板４０箇所に設けられている。【選択図】図２
2010032614.tif 000002
【特許請求の範囲】
【請求項１】
外装を構成する筐体と、
前記筐体に設けられた撮像レンズと、
前記撮像レンズの光軸と交差する前記筐体の面上を延在する第１の方向において前記撮像レンズを覆う閉塞位置と前記撮像レンズを露出させる第１の開放位置との間で移動可能で、かつ、前記面上で前記第１の方向と異なる方向に延在する第２の方向において前記閉塞位置と前記撮像レンズを露出させる第２の開放位置との間で移動可能に設けられたレンズカバーと、
前記レンズカバーの前記閉塞位置と前記第１の開放位置との間の移動時に前記レンズカバーと一体に移動し、かつ、前記レンズカバーの前記閉塞位置と前記第２の開放位置との間の移動時に前記閉塞位置に留まる可動板と、
前記可動板が前記閉塞位置に位置した状態で前記撮像レンズの前方に位置する前記可動板箇所に設けられた光学部材と、
を備える撮像装置。
【請求項２】
前記可動板は、前記閉塞位置と前記第１の開放位置との間で移動可能に、かつ、前記閉塞位置と前記第２の開放位置との間で移動不能に前記筐体に組み込まれ、
前記レンズカバーは、前記閉塞位置と前記第１の開放位置との間で前記可動板と一体に移動し、かつ、前記閉塞位置と前記第２の開放位置との間で前記可動板に対して移動可能に前記可動板に組み付けられている、
請求項１記載の撮像装置。
【請求項３】
前記筐体は板状を呈し、その厚さ方向の一方の面が前面となっており、
前記撮影レンズは前記前面に設けられ、
前記第１の方向と前記第２の方向は前記前面上で直線状に延在しており、かつ、互いに直交している請求項１記載の撮像装置。
【請求項４】
前記光学部材は、前記撮像光学系の撮像倍率を変倍するコンバージョンレンズまたは前記撮像レンズに導かれる光束の光量を減光するＮＤフィルターまたは前記撮像レンズに導かれる光束の光量を減光する液晶絞りまたは前記撮像レンズに導かれる光束に偏光を与える偏光フィルターである、
請求項１記載の撮像装置。
【請求項５】
前記筐体は矩形の板状を呈し、その厚さ方向の一方の面が矩形状の前面となっており、
前記撮影レンズは前記前面に設けられ、
前記第１の方向は前記前面上で上下方向に直線状に延在する方向であり、
前記第２の方向は前記前面上で左右方向に直線状に延在する方向である、
請求項１記載の撮像装置。
【請求項６】
前記筐体は矩形の板状を呈し、その厚さ方向の一方の面が矩形状の前面となっており、
前記撮影レンズは前記前面に設けられ、
前記第１の方向は前記前面上で上下方向に直線状に延在し、
前記第２の方向は前記前面上で左右方向に直線状に延在し、
前記レンズカバーは矩形状を呈し、
前記レンズカバーの前記閉塞位置で、前記レンズカバーの上縁と前記前面の上縁とは平行し、
前記レンズカバーは前記閉塞位置と前記第１の開放位置との間および前記閉塞位置と前記第２の開放位置との間で前記レンズカバーの上縁を前記前面の上縁に平行させつつ上下方向および左右方向に移動する、
請求項１記載の撮像装置。
【請求項７】
前記筐体は矩形の板状を呈し、その厚さ方向の一方の面が矩形状の前面となっており、
前記撮影レンズは前記前面に設けられ、
前記第１の方向は前記前面上で上下方向に直線状に延在し、
前記第２の方向は前記前面上で左右方向に直線状に延在し、
前記レンズカバーは矩形状を呈し、
前記レンズカバーは前記閉塞位置で、前記レンズカバーの上縁と前記前面の上縁とが合致した位置となり、
前記レンズカバーは前記閉塞位置と前記第２の開放位置との間で前記レンズカバーの上縁を前記前面の上縁に合致させつつ左右方向に移動する、
請求項１記載の撮像装置。
【請求項８】
前記撮像レンズによって導かれた被写体像を撮像する撮像素子と、
前記撮像素子によって生成された撮像信号に基づいて画像データを生成する画像データ生成手段と、
前記画像データ生成手段によって生成された前記画像データを記録媒体に記録すると共に、前記画像データにＥｘｉｆデータを埋め込む画像データ記録手段と、
前記レンズカバーが前記第２の開放位置に位置しているか否かを検出する検出手段とをさらに備え、
前記画像データ記録手段は、前記検出手段の検出結果を前記Ｅｘｉｆデータに反映させる、
請求項１記載の撮像装置。
【発明の詳細な説明】
【技術分野】
【０００１】
本発明は撮像装置に関する。
【背景技術】
【０００２】
デジタルスチルカメラなどの撮像装置として、該撮像装置の撮像レンズを保護するために、撮像レンズを開閉するレンズカバーを備えるものがある。
このようなレンズカバーに、コンバージョンレンズを保持する保持部材を移動可能に設け、コンバージョンレンズを撮像レンズの前方の箇所に出没させることでコンバージョンレンズを簡単に使用できるようにした撮像装置が提案されている（特許文献１参照）。
【特許文献１】特開２００５−３４６０１７
【発明の開示】
【発明が解決しようとする課題】
【０００３】
しかしながら、上述の撮像装置では、コンバージョンレンズを動かすための専用の部材としての指当を保持部材に設けている。
すなわち、レンズカバーの開閉時にはレンズカバーに指を当て付けて操作し、コンバージョンレンズを移動させる際には前記指当に指を当て付けて操作しなくてはならない。
そのため、レンズカバーやコンバージョンレンズを操作する際に指を当て付ける箇所をいちいち確認しなくてはならず、操作性の向上を図る上で不利がある。
また、指当を設けなくてはならないことからデザイン性の自由度を確保する上でも不利がある。
本発明は、このような事情に鑑みなされたものであり、操作性の向上を図りつつデザイン性の自由度を確保する上で有利な撮像装置を提供することにある。
【課題を解決するための手段】
【０００４】
上述の目的を達成するため、本発明の撮像装置は、外装を構成する筐体と、前記筐体に設けられた撮像レンズと、前記撮像レンズの光軸と交差する前記筐体の面上を延在する第１の方向において前記撮像レンズを覆う閉塞位置と前記撮像レンズを露出させる第１の開放位置との間で移動可能で、かつ、前記面上で前記第１の方向と異なる方向に延在する第２の方向において前記閉塞位置と前記撮像レンズを露出させる第２の開放位置との間で移動可能に設けられたレンズカバーと、前記レンズカバーの前記閉塞位置と前記第１の開放位置との間の移動時に前記レンズカバーと一体に移動し、かつ、前記レンズカバーの前記閉塞位置と前記第２の開放位置との間の移動時に前記閉塞位置に留まる可動板と、前記可動板が前記閉塞位置に位置した状態で前記撮像レンズの前方に位置する前記可動板箇所に設けられた光学部材とを備える。
【発明の効果】
【０００５】
本発明によれば、レンズカバーを筐体の面上において互いに異なる第１の方向および第２の方向に動かすという簡単な操作によって、レンズカバーで撮像レンズ覆い、また、光学部材を撮像レンズの前方に位置させ、また、光学部材を撮像レンズの前方から外れた位置に位置させることができるので、撮影時の操作性の向上を図る上で有利となる。
また、光学部材を動かすための専用の部材を設けることなく、レンズカバーを用いて光学部材を動かすことができるため、デザイン性の自由度を確保する上で有利となる。
【発明を実施するための最良の形態】
【０００６】
次に本発明の実施の形態について図面を参照して説明する。
図１（Ａ）は本実施の形態の撮像装置１０の正面図、（Ｂ）は（Ａ）のＢ矢視図、（Ｃ）は（Ａ）のＣ矢視図、図２は撮像装置１０の分解斜視図である。
図３はレンズカバー３８の閉塞位置を示す撮像装置１０の斜視図、図４はレンズカバー３８の第１の開放位置を示す撮像装置１０の斜視図、図５はレンズカバー３８の第２の開放位置を示す撮像装置１０の斜視図、図６は撮像装置１０を後方から見た撮像装置１０の斜視図である。
図７はレンズカバー３８の閉塞位置を示す撮像装置１０の正面図、図８は図７のＡＡ線断面図、図９はレンズカバー３８の第１の開放位置を示す撮像装置１０の正面図、図１０は図９のＡＡ線断面図、図１１はレンズカバー３８の第２の開放位置を示す撮像装置１０の正面図、図１２は図１１のＡＡ線断面図である。
【０００７】
図１、図２に示すように、本実施の形態の撮像装置１０はデジタルスチルカメラである。
撮像装置１０は、外装を構成する筐体１２を有している。なお、本明細書において前方とは被写体側をいい、後方とは結像側をいい、撮像装置１０の左右は前方から見た状態でいうものとする。
筐体１２は、図１、図２に示すように、前後方向の厚さと、厚さよりも大きい寸法の上下方向の高さと、高さよりも大きい寸法の左右方向の幅を有し、扁平な薄い矩形板状に形成されている。
筐体１２は前方に臨む前面１４と、後方に臨む後面１６と、上方に臨む上面１８と、下方に臨む下面２０と、左右に臨む左右の側面２２、２４とを有している。
【０００８】
図２に示すように、筐体１２の右側部には、撮像光学系２６を収容するレンズ鏡筒２８が上下方向に延在して設けられている。
図１０に示すように、撮像光学系２６は被写体像を撮像素子３４に導くものであり、撮像光学系２６は、撮像レンズ２６Ａ、プリズム２６Ｂ、固定レンズ２６Ｃ、ズームレンズ２６Ｄ、フォーカスレンズ２６Ｅ、図示しない絞り機構などを含んで構成されている。
本実施の形態では、撮像光学系２６は、被写体側から撮像素子３４側に向かって１群乃至７群レンズがこの順番で配置されており、撮像レンズ２６Ａが１群レンズで構成され、固定レンズ２６Ｃが２群、４群、６群レンズで構成され、ズームレンズ２６Ｄが３群、５群レンズで構成され、フォーカスレンズ２６Ｅが７群レンズで構成されている。
撮像レンズ２６Ａは、撮像光学系２６の最も前方に位置するものであり、いわゆる対物レンズを構成している。
図２、図１０に示すように、筐体１２の前面１４上部の右側部寄りの箇所には開口が設けられ、撮像レンズ２６Ａは、前記開口を介して前方に臨んで設けられ、したがって、撮像レンズ２６Ａは前面１４の上部に設けられている。
プリズム２６Ｂは、撮像レンズ２６Ａの後方に位置し光路を９０度下方に屈曲させるものである。
固定レンズ２６Ｃ、ズームレンズ２６Ｄ、フォーカスレンズ２６Ｅは、プリズム２６Ｂの下方に前記光路に沿って配置されている。
固定レンズ２６Ｂは、レンズ鏡筒２８の内部に固定して取着されている。
ズームレンズ２６Ｃは、撮像光学系２６の光軸方向に移動可能に設けられ、ズームレンズ駆動機構３６（図１３）によって光軸方向に移動されることで、撮像光学系２６のズーム率を変化させるものである。
フォーカスレンズ２６Ｅは、撮像光学系２６の光軸方向に移動可能に設けられ、図示しないフォーカスレンズ駆動機構によって光軸方向に移動されることで、撮像素子３４に導かれる被写体像の合焦動作を行うものである。
前記絞り機構は、撮像光学系２６の光路を進行する光束の光量を調整するものであり、例えば、前記光路を挟んで離間接近する方向に移動可能に設けられた２枚の絞り羽根を有している。
前記絞り機構は、絞り駆動機構３７（図１３）によって各絞り羽根が離間接近する方向に移動されることで絞り羽根の間に形成される開口径が拡縮され、これにより撮像素子３４に導かれる光束の光量を調整するものである。
撮像素子３４（図１３）は、撮像光学系２６の最も後方（下方）に配置され、レンズ鏡筒２８の後端（下端）に組み込まれている。
【０００９】
図２に示すように、筐体１２の上面１８には、レリーズボタン３０Ａ、電源スイッチ３０Ｂが設けられている。
図６に示すように、後面１６に、撮像した映像（画像データ）を表示すると共に、撮像や再生にまつわる種々の設定操作などを行うための操作画面あるいはメニュー画面などを表示するディスプレイ３２が設けられている。ディスプレイ３２によって表示部が構成されている。
ディスプレイ３２としては、液晶表示装置あるいは有機ＥＬ表示装置など従来公知の表示装置が採用可能である。
後面１６の左側部には、撮像光学系２６のズーム率を望遠側（テレ側）あるいは広角側（ワイド側）に調整するためのズーム操作スイッチ３０Ｃと、撮像モード、再生モードの切替など種々の操作、あるいは、ディスプレイ３２に表示されたメニュー画面の選択項目の選択操作、設定項目の設定操作などを行う複数の操作スイッチ３０Ｄが設けられている。
これらレリーズボタン３０Ａ、電源スイッチ３０Ｂ、ズーム操作スイッチ３０Ｃ、操作スイッチ３０Ｄによって操作部１２２（図１３）が構成されている。
【００１０】
図１３は撮像装置１０の制御系の構成を示すブロック図である。
図１３に示すように、撮像装置１０には、映像信号増幅部１０２、映像信号処理部１０４、映像信号記録再生部１０６、制御部１０８、ディスプレイドライバ１１０、内部メモリ１１２、メモリカード用インターフェース１１４、メモリカード用スロット１１６、外部入出力インターフェース１１８、外部入出力端子１２０、操作部１２２、位置検出部１２４などが設けられている。
【００１１】
撮像素子３４で生成された撮像信号は映像信号増幅部１０２で増幅され、映像信号処理部１０４によって所定の信号処理がなされ映像信号として映像信号記録再生部１０６に供給される。
映像信号記録再生部１０６は、映像信号処理部１０４から供給された映像信号を画像データとして制御部１０８の制御にしたがってメモリカード用インターフェース１１４を介してメモリカード用スロット１１６に装着された記録媒体としてのメモリカード２に記録する。
また、映像信号記録再生部１０６は、映像信号処理部１０４から供給された映像信号、あるいは、メモリカード用インターフェース１１４を介してメモリカード２から供給される映像信号を、ディスプレイドライバ１１０を介してディスプレイ３０に供給して画像の表示を行わせる。
制御部１０８は、操作部１２２の操作に基づいて、映像信号処理部１０４、映像信号記録再生部１０６、ズームレンズ駆動機構３６、絞り駆動機構３７などの制御を行う。
また、制御部１０８は、映像信号記録再生部１０６を制御することにより、メモリカード２に記録される各画像データに画像データのメタデータとしてのＥｘｉｆデータを埋め込む。
したがって、映像信号増幅部１０２および映像信号処理部１０４は、撮像素子３４によって生成された撮像信号に基づいて画像データを生成する画像データ生成手段を構成している。
また、制御部１０８および映像信号記録再生部１０６は、前記画像データ生成手段によって生成された前記画像データを記録媒体としてのメモリカード２に記録すると共に、前記画像データにＥｘｉｆデータを埋め込む画像データ記録手段を構成している。
内部メモリ１１２は、映像信号記録再生部１０６の動作のために必要なメモリエリアを提供する。
外部入出力インターフェース１１８は、外部入出力端子１２０に接続された外部の電子機器と映像信号記録再生部１０６との間で映像信号の授受を司る。
【００１２】
位置検出部１２４は、後述するレンズカバー３８の閉塞位置Ｐ０、第１の開放位置Ｐ１、第２の開放位置Ｐ２を検出して検出信号を制御部１０８に供給するものである。
本実施の形態では、位置検出部１２４は、図示しないが、単一のマグネットと、第１乃至第３のホール素子とを含んで構成されている。
マグネットは、レンズカバー３８が前面１４に臨む箇所に設けられている。
第１乃至第３のホール素子は、前面１４が前記マグネットに臨む箇所に設けられている。
第１のホール素子は、レンズカバー３８が閉塞位置Ｐ０に位置した際に前記マグネットの磁気を検出して検出信号を「Ｈ」レベルとして出力し、レンズカバー３８が閉塞位置Ｐ０から外れた際に検出信号を「Ｌ」レベルとして出力する。
第２のホール素子は、レンズカバー３８が第１の開放位置Ｐ１に位置した際に前記マグネットの磁気を検出して検出信号を「Ｈ」レベルとして出力し、レンズカバー３８が第１の開放位置Ｐ１から外れた際に検出信号を「Ｌ」レベルとして出力する。
第３のホール素子は、レンズカバー３８が第２の開放位置Ｐ２に位置した際に前記マグネットの磁気を検出して検出信号を「Ｈ」レベルとして出力し、レンズカバー３８が第２の開放位置Ｐ２から外れた際に検出信号を「Ｌ」レベルとして出力する。
そして、制御部１０８は、位置検出部１２４の検出結果に基づいて、映像信号処理部１０４を制御することにより、あるいは、絞り駆動機構３７を制御することにより露出制御を行う。また、制御部１０８は、位置検出部１２４の検出結果に基づいて、ズームレンズ駆動機構３６を制御することにより可動レンズ２６Ｃの駆動制御を行う。
また、制御部１０８は、位置検出部１２４の検出結果に基づいて、映像信号記録再生部１０６を制御することにより、メモリカード２に記録される各画像データに埋め込まれるＥｘｉｆデータに位置検出部１２４の検出結果を反映させる。
【００１３】
図２に示すように、筐体１２の前面１４に、本発明の要旨であるレンズカバー３８と、可動板４０と、光学部材４２などが設けられている。
レンズカバー３８（バリア）は、筐体１２の前面１４上を延在する第１の方向において撮像レンズ２６Ａを覆う閉塞位置Ｐ０（図３、図７、図８）と撮像レンズ２６Ａを露出させる第１の開放位置Ｐ１（図４、図９、図１０）との間で移動可能で、かつ、前面１４上で第１の方向と異なる方向に延在する第２の方向において閉塞位置Ｐ０と撮像レンズ２６Ａを露出させる第２の開放位置Ｐ２（図５、図１１、図１２）との間で移動可能に設けられている。
なお、前面１４は、撮像レンズ２６Ａの光軸と交差する筐体１２の面である。
また、第１の方向は上下に直線状に延在している。
また、第２の方向は第１の方向に対して直交する方向である左方向に直線状に延在している。
可動板４０は、レンズカバー３８の閉塞位置Ｐ０と第１の開放位置Ｐ１との間の移動時にレンズカバー３８と一体に移動し、かつ、レンズカバー３８の閉塞位置Ｐ０と第２の開放位置Ｐ２との間の移動時に閉塞位置Ｐ０に留まるように設けられている。
光学部材４２は、可動板４０が閉塞位置Ｐ０に位置した状態で撮像レンズ２６Ａの前方に位置する可動板４０箇所に設けられている。
【００１４】
可動板４０は、閉塞位置Ｐ０と第１の開放位置Ｐ１との間で移動可能に、かつ、閉塞位置Ｐ０と第２の開放位置Ｐ２との間で移動不能に筐体１２の前面１４に組み込まれている。
本実施の形態では、図２に示すように、可動板４０の裏面で左右の箇所にガイドピン４００２が突設され、それらガイドピン４００２が前面１４の各ガイド溝１４０２に上下に移動可能に組み込まれ、かつ、ガイドピン４００２の先部は筐体１２の前面１４の裏面に抜落不能に結合され、それらガイドピン４００２およびガイド溝１４０２を介して可動板４０が筐体１２の前面１４に組み込まれている。
【００１５】
レンズカバー３８は、閉塞位置Ｐ０と第１の開放位置Ｐ１との間で可動板４０と一体に移動し、かつ、閉塞位置Ｐ０と第２の開放位置Ｐ２との間で可動板４０に対して移動可能に可動板４０に組み付けられている。
本実施の形態では、図２に示すように、レンズカバー３８の裏面で上下の箇所にガイドピン３８０２が突設され、このガイドピン３８０２が可動板４０の各ガイド溝４００４に左右に移動可能に組み込まれ、かつ、ガイドピン３８０２の先部は可動板４０の裏面に抜落不能に結合され、それらガイドピン３８０２およびガイド溝４０１０を介してレンズカバー３８が可動板４０に組み込まれている。
なお、レンズカバー３８の上下部には、図２、図１０に示すように、可動板４０の上下部を覆う縁部３８１０が湾曲形成されている。
【００１６】
本実施の形態では、図１に示すように、前面１４は矩形状を呈し、図７、図９に示すように、第１の方向は前面１４上で上下方向に直線状に延在し、図７、図１１に示すように、第２の方向は前面１４上で左右方向に直線状に延在している。
そして、図１に示すように、レンズカバー３８は矩形状を呈し、図７に示すように、レンズカバー３８は閉塞位置Ｐ０で、レンズカバー３８の上縁および下縁と前面１４の上縁とが平行し、また、レンズカバー３８の左右の縁と前面１４の左右の縁とが平行した位置となる。
より詳細には、レンズカバー３８は閉塞位置Ｐ０で、レンズカバー３８の上縁と前面１４の上縁とが合致した位置となる。
また、レンズカバー３８は、図７、図９に示すように、閉塞位置Ｐ０と第１の開放位置Ｐ１との間で上下方向に移動し、図７、図１１に示すように、閉塞位置Ｐ０と第２の開放位置Ｐ２との間でレンズカバー３８の上縁を前面１４の上縁に合致させつつ左右方向に移動する。
より詳細には、レンズカバー３８の上縁および下縁を前面１４の上縁に平行させ、また、レンズカバー３８の左右の縁を前面１４の左右の縁に平行させつつ、レンズカバー３８は閉塞位置Ｐ０と第１の開放位置Ｐ１との間で上下方向に移動し、閉塞位置Ｐ０と第２の開放位置Ｐ２との間で左右方向に移動する。
このようなレンズカバー３８の動きによりレンズカバー３８および可動板４０を含む撮像装置１０の外観性が高められている。
【００１７】
光学部材４２は、例えば、撮像光学系３６の撮像倍率を変倍するコンバージョンレンズであり、または、撮像レンズ３６Ａに導かれる光束の光量を減光するＮＤフィルターであり、または、撮像レンズ３６Ａに導かれる光束の光量を減光する液晶絞りであり、または、撮像レンズ３６Ａに導かれる光束に偏光を与える偏光フィルターであるなど、従来公知のさまざまな光学部材が採用可能である。
【００１８】
なお、実施の形態では、ガイドピン４００２、３８０２、ガイド溝１４０２、４００４を介してレンズカバー３８および可動板４０を筐体１２に組み込んだ場合について説明したが、レンズカバー３８や可動板４０を筐体１２に組み込む構成には従来公知のさまざまな構造が採用可能である。
【００１９】
次に、動作について説明する。
予め、図３に示すようにレンズカバー３８が閉塞位置Ｐ０に位置しているものとする。
まず、光学部材４２を使用しない状態で撮影を行う際には、レンズカバー３８に指を当て付けてレンズカバー３８を第１の方向に沿って下方に動かしレンズカバー３８と可動板４０を閉塞位置Ｐ０から図４に示す第１の開放位置Ｐ１に位置させる。
これにより、撮像レンズ２６Ａは前方に露出した状態となる。
したがって、この状態で電源スイッチ３０Ｂを操作して電源を投入し、撮像レンズ２６Ａを被写体に向け、構図を決めたならば、レリーズボタン３０Ａを押下して撮影を行う。
撮影が終了したならば、第１の開放位置Ｐ１にあるレンズカバー３８に指を当て付けてレンズカバー３８を第１の方向に沿って上方に動かしレンズカバー３８と可動板４０を第１の開放位置Ｐ１から閉塞位置Ｐ０に戻す。
これにより、撮像レンズ２６Ａはレンズカバー３８によって保護される。
【００２０】
また、図３に示すようにレンズカバー３８が閉塞位置Ｐ０に位置している状態から、光学部材４２を使用した状態で撮影を行う際には、閉塞位置Ｐ０に位置するレンズカバー３８に指を当て付けてレンズカバー３８を第２の方向に沿って左方に動かしレンズカバー３８を閉塞位置Ｐ０から図５に示す第２の開放位置Ｐ２に位置させる。
これにより、撮像レンズ２６Ａの前方に光学部材４２が位置した状態となる。
したがって、この状態で電源スイッチ３０Ｂを操作して電源を投入し、撮像レンズ２６Ａを被写体に向け、構図を決めたならば、レリーズボタン３０Ａを押下して撮影を行う。
撮影が終了したならば、第２の開放位置Ｐ２にあるレンズカバー３８に指を当て付けてレンズカバー３８を第２の方向に沿って右方に動かしレンズカバー３８を第２の開放位置Ｐ１から閉塞位置Ｐ０に戻す。
これにより、撮像レンズ２６Ａ（光学部材４２）はレンズカバー３８によって保護される。
【００２１】
また、図４に示す第１の開放位置Ｐ１から図５に示す第２の開放位置Ｐ２にレンズカバー３８を動かす際には、いったんレンズカバー３８を第２の方向に沿って左方に動かしてからレンズカバー３８を第１の方向に沿って上方に動かすことでレンズカバー３８を第２の開放位置Ｐ２に位置させてもよいし、あるいは、いったん第１の開放位置Ｐ１にあるレンズカバー３８と可動板４０を第１の方向に沿って図３に示す閉塞位置Ｐ０に動かしてからレンズカバー３８を第２の方向に沿って第２の開放位置Ｐ２に動かしてもよい。
また、図５に示す第２の開放位置Ｐ２から図４に示す第１の開放位置Ｐ１にレンズカバー３８を動かす際には、いったんレンズカバー３８を第２の方向に沿って右方に動かして閉塞位置Ｐ０に位置させてからレンズカバー３８を第１の方向に沿って下方に動かすことでレンズカバー３８と可動板４０を第１の開放位置Ｐ１に位置させてもよいし、あるいは、いったん第２の開放位置Ｐ２にあるレンズカバー３８を第１の方向に沿って下方に動かしてからレンズカバー３８を第２の方向に沿って右方に動かしてレンズカバー３８と可動板４０を第１の開放位置Ｐ１に位置させてもよい。
【００２２】
次に、レンズカバー３８の位置に対応する制御系の動作について説明する。
光学部材４２がコンバージョンレンズである場合について説明する。
コンバージョンレンズを使用すると、コンバージョンレンズを使用しない場合に比較して撮像光学系２６の焦点距離および画角が変化するため、露出制御に係わる処理に変更が必要になると共に、撮像光学系２６の可動レンズ２６Ｄの移動範囲を調整することでコンバージョンレンズ使用時のケラレの発生を防止することが必要となる。
したがって、制御部１０８は、位置検出部１２４の検出結果に基づいて、すなわち、レンズカバー３８の第１の開放位置Ｐ１と第２の開放位置Ｐ２とに対応して、映像信号処理部１０４を制御することにより、あるいは、絞り駆動機構３７を制御することにより適切な露出制御を行い、また、前記検出結果に基づいて、ズームレンズ駆動機構３６を制御することでケラレを生じないように可動レンズ２６Ｄの移動範囲を調整する。
このようにレンズカバー３８の第１の開放位置Ｐ１と第２の開放位置Ｐ２とに応じて制御部１０８により、露出制御の処理が調整され、また、可動レンズ２６Ｄの移動範囲が調整されるため、露出制御の処理や可動レンズ２６Ｄの移動範囲の調整をユーザーが撮像装置１０の操作スイッチを用いて煩雑な手作業で行う必要がなく、したがって、操作性の向上が図られている。
また、撮影時にコンバージョンレンズを使用すると撮像光学系２６の焦点距離が変化するため、メモリカード２に記録される各画像データに埋め込まれるＥｘｉｆデータとしてコンバージョンレンズを使用することで変化した焦点距離を記録させる必要がある。
本実施の形態では、制御部１０８は、映像信号記録再生部１０６を制御することにより、Ｅｘｉｆデータに変更された焦点距離を反映させ、すなわち、位置検出部１２４の検出結果をＥｘｉｆデータに反映させる。
言い換えると、位置検出部１２４が、レンズカバー３８が第２の開放位置Ｐ２に位置しているか否かを検出する検出手段を構成し、制御部１０８および映像信号記録再生部１０６が、前記検出手段の検出結果を前記Ｅｘｉｆデータに反映させる画像データ記録手段を構成している。
これにより、光学部材４２を使用した撮影時のデータを、正確にＥｘｉｆデータに反映させることができ、Ｅｘｉｆデータの有効利用を図る上で有利となる。
【００２３】
また、光学部材４２がＮＤフィルター、液晶絞り、偏光フィルターのように焦点距離の変化が生じないものである場合は、可動レンズ２６Ｄの移動範囲の調整については特に考慮しなくてもよいが、光学部材４２を使用することでＥｘｉｆデータに変化を与える場合は、上述の場合と同様に、位置検出部１２４の検出結果をＥｘｉｆデータに反映させればよいことは無論である。
【００２４】
以上説明したように本実施の形態によれば、レンズカバー３８を筐体１２の前面１４上において互いに異なる第１の方向および第２の方向に動かすという簡単な操作によって、レンズカバー３８で撮像レンズ２６Ａを覆い、また、光学部材４２を撮像レンズ２６Ａの前方に位置させ、また、光学部材４２を撮像レンズ２６Ａの前方から外れた位置に位置させることができるので、撮影時の操作性の向上を図る上で有利となる。
また、従来装置のように光学部材を動かすための専用の部材を設けることなく、レンズカバー３８を用いて光学部材４２を動かすことができるため、デザイン性の自由度を確保する上で有利となる。
【００２５】
なお、位置検出部１２４の検出結果に基づいて撮像装置１０の制御系の制御をどのように行うかは任意である。
例えば、位置検出部１２４による検出結果に基づいて制御部１０８の制御により光学部材４２の使用、非使用を示す文字やアイコンをディスプレイ３２に表示させたり、あるいは、光学部材４２の使用、非使用をＬＥＤなどのインジケータの点灯、滅灯で表示させてもよい。
また、光学部材４２を使用した場合に撮影に好適な絞りやシャッタースピードなどの撮影条件を予め設定しておき、位置検出部１２４による検出結果に基づいて制御部１０８の制御により前記撮影条件を反映させて撮影を行うようにしてもよい。
また、本実施の形態では、撮像装置がデジタルスチルカメラである場合について説明したが、本発明は、カメラ付き携帯電話機、ビデオカメラなどの撮像装置に広く適用可能である。
【図面の簡単な説明】
【００２６】
【図１】（Ａ）は本実施の形態の撮像装置１０の正面図、（Ｂ）は（Ａ）のＢ矢視図、（Ｃ）は（Ａ）のＣ矢視図である。
【図２】撮像装置１０の分解斜視図である。
【図３】レンズカバー３８の閉塞位置を示す撮像装置１０の斜視図である。
【図４】レンズカバー３８の第１の開放位置を示す撮像装置１０の斜視図である。
【図５】レンズカバー３８の第２の開放位置を示す撮像装置１０の斜視図である。
【図６】撮像装置１０を後方から見た撮像装置１０の斜視図である。
【図７】レンズカバー３８の閉塞位置を示す撮像装置１０の正面図である。
【図８】図７のＡＡ線断面図である。
【図９】レンズカバー３８の第１の開放位置を示す撮像装置１０の正面図である。
【図１０】図９のＡＡ線断面図である。
【図１１】レンズカバー３８の第２の開放位置を示す撮像装置１０の正面図である。
【図１２】図１１のＡＡ線断面図である。
【図１３】撮像装置１０の制御系の構成を示すブロック図である。
【符号の説明】
【００２７】
１０……撮像装置、１２……筐体、２６Ａ……撮像レンズ、３８……レンズカバー、４０……可動板、４２……光学部材、Ｐ０……閉塞位置、Ｐ１……第１の開放位置、Ｐ２……第２の開放位置。
【図１】
2010032614.tif 000003
【図２】
2010032614.tif 000004
【図３】
2010032614.tif 000005
【図４】
2010032614.tif 000006
【図５】
2010032614.tif 000007
【図６】
2010032614.tif 000008
【図７】
2010032614.tif 000009
【図８】
2010032614.tif 000010
【図９】
2010032614.tif 000011
【図１０】
2010032614.tif 000012
【図１１】
2010032614.tif 000013
【図１２】
2010032614.tif 000014
【図１３】
2010032614.tif 000015